【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
権限を与えられた医療介護者により医療システムアルゴリズムを実現する方法であって、方法のステップが、
医療システムアルゴリズムを規定するための文脈自由文法を提供するステップであって、文法が、それぞれ複数の非終端医療システムパラメータおよび終端医療システムパラメータにより満たされるように構成される非終端パラメータ記号および終端パラメータ記号を含み、文法が、それぞれ複数の非終端医療システム条件および終端医療システム条件により満たされるように構成される非終端条件記号および終端条件記号をさらに含み、文法が、複数の医療システム応答により満たされるように構成される応答記号をさらに含むステップと、
文法により規定される非終端パラメータの少なくとも１つまたは終端パラメータの少なくとも１つを含む第１のパラメータ選択を受け取るステップと、
文法により規定される選択される第１のパラメータ選択に対して、非終端パラメータ記号または終端パラメータ記号の少なくとも１つに対応する個々の第１の医療システム条件選択を受け取るステップと、
医療システム応答選択を受け取るステップと、
第１のパラメータ選択、第１の医療システム条件選択、および医療システム応答選択から医療システムアルゴリズムを生成するステップと、
自動医療機器により後で使用するために、生成される医療システムアルゴリズムを記憶するステップとを含み、生成される医療システムアルゴリズムが、他の記憶される医療システムアルゴリズムから独立して選択されることができる、方法。
【請求項２】
第１のパラメータ選択が、文法により規定される非終端パラメータ記号の少なくとも１つおよび終端パラメータ記号の少なくとも１つを含む、請求項１に記載の方法。
【請求項３】
応答記号が、非終端応答記号および終端応答記号の１つを含み、応答記号がそれぞれ非終端医療システム応答および終端医療システム応答により満たされるように構成される、請求項１に記載の方法。
【請求項４】
医療システム応答を受け取るステップが、非終端医療システム応答を受け取るステップを含む、請求項１に記載の方法。
【請求項５】
文法により規定される非終端パラメータ記号の少なくとも１つまたは終端パラメータ記号の少なくとも１つを含む第２のパラメータ選択を受け取るステップと、
文法により規定される選択される第２のパラメータ選択に対して、非終端パラメータ記号または終端パラメータ記号の少なくとも１つに対応する個々の第２の医療システム条件選択を受け取るステップとをさらに含む、請求項１に記載の方法。
【請求項６】
第２のパラメータ選択が、文法により規定される非終端パラメータ記号の少なくとも１つおよび終端パラメータ記号の少なくとも１つを含む、請求項５に記載の方法。
【請求項７】
第１の医療システムパラメータ選択が第１の警報選択であり、第２の医療システムパラメータ選択が、第１の警報選択と異なる第２の警報選択である、請求項５に記載の方法。
【請求項８】
第１の警報選択が医療ポンプ機能に関係のある警報のためであり、第２の警報選択が患者モニタ機能に関係のある警報のためである、請求項７に記載の方法。
【請求項９】
医療ポンプ機能に関係のある警報が、医療ポンプ警報、および医療ポンプパラメータ警報の状態との通信の喪失の１つである、請求項８に記載の方法。
【請求項１０】
患者モニタ機能に関係のある警報が、患者モニタ警報、および患者モニタパラメータ警報の状態との通信の喪失の１つである、請求項８に記載の方法。
【請求項１１】
第１の医療システムパラメータ選択が第１の警報選択である、請求項１に記載の方法。
【請求項１２】
第１の警報選択が医療ポンプ機能に関係のある警報の１つであり、第２の警報選択が患者モニタ機能に関係のある警報のためである、請求項１１に記載の方法。
【請求項１３】
第１の医療システムパラメータが、医療システム条件の構成要素である、請求項１に記載の方法。
【請求項１４】
方法が第１のブールコネクタ（Ｂｏｏｌｅａｎ  ｃｏｎｎｅｃｔｏｒ）選択を受け取るステップをさらに含み、医療システムアルゴリズムを生成するステップが第１のブールコネクタからさらに生成される、請求項１に記載の方法。
【請求項１５】
方法が第２のブールコネクタ選択を受け取るステップをさらに含み、医療システムアルゴリズムを生成するステップが第２のブールコネクタからさらに生成される、請求項１４に記載の方法。
【請求項１６】
医療システムパラメータが文法の範囲内で代替医療システムパラメータであり、代替医療パラメータが患者の医療状態または条件を表さない、請求項１に記載の方法。
【請求項１７】
文法により規定される医療システムパラメータの少なくとも１つが終端構成要素も非終端構成要素も含む、請求項１に記載の方法。
【請求項１８】
応答選択を受け取るステップが、複数の応答選択を受け取るステップを含む、請求項１に記載の方法。
【請求項１９】
第１の医療システムパラメータ選択がユーザインタフェース表示装置の第１の領域から受け取られ、医療システム応答選択がユーザインタフェース表示装置の第２の領域から受け取られる、請求項１に記載の方法。
【請求項２０】
文法により規定される代替医療システムパラメータの少なくとも１つが、医療機器との通信可能状態の変化を含む、請求項１６に記載の方法。
【請求項２１】
第１の条件選択が、時間記号、患者の薬物負荷記号、送達対要求負荷記号、平均薬物消費量記号、および患者の薬物因子記号のうち少なくとも１つを含む、請求項１に記載の方法。
【請求項２２】
医療システム応答が、別の医療システムアルゴリズムの実行、薬物送達レートの調節、薬物送達の休止、および医療診断のうちの少なくとも１つを含む、請求項１に記載の方法。
【請求項２３】
臨床看護エリア（ｃｌｉｎｉｃａｌ  ｃａｒｅ  ａｒｅａ、ＣＣＡ）により医療システムアルゴリズムを分類するために医療システムアルゴリズムに対するＣＣＡ選択を受け取るステップと、
ＣＣＡ選択を医療システムアルゴリズムと関連付けて、関連を記憶するステップとをさらに含む、請求項１に記載の方法。
【請求項２４】
患者看護システムであって、
複数の異なる生理学的パラメータに対する値を含むリアルタイム生理学的条件データストリームを生成するためのセンサと、
患者に薬を送達するための医療ポンプと、
センサおよび医療ポンプと通信可能状態にあり、メモリ、および
複数の異なる生理学的パラメータに対する値を含むリアルタイム条件データストリームを受け取り、
それぞれ医療ポンプの異なるプロトコルまたは性質に変更することなく独立して選択でき、かつブール演算子が満たされることにより接続される少なくとも２つのパラメータ／条件対に基づきユーザがカスタマイズできる所定の応答を含む、選択のために利用できる複数の医療システムアルゴリズムをメモリ内に受け取り、
メモリ内に記憶される複数の医療システムアルゴリズムからの医療システムアルゴリズムの選択を受け取り、
選択される医療システムアルゴリズムを実現して、リアルタイム条件データストリームを処理し、医療システムアルゴリズムが満たされる場合、所定の応答を実行するように適合される論理を含むプロセッサとを含む患者看護システム。
【請求項２５】
プロセッサ、メモリ、および論理が、複数の生理学的変数を含むリアルタイムデータストリームのためのモニタリングセッションを開始するためにリアルタイムデータストリームモニタリングセッション選択を受け取るようにさらに適合される、請求項２４に記載のシステム。
【請求項２６】
選択される医療システムアルゴリズムが、生理学的な可変の警報時間継続、患者の薬物負荷、要求対送達比、平均薬物消費量、および患者の薬物因子のうちの少なくとも１つを含む第１の条件を含む、請求項２４に記載のシステム。
【請求項２７】
選択される医療システムアルゴリズムが、別の医療システムアルゴリズムの実行、薬物送達レートの調節、薬物送達の休止、医療職員の呼出し、および医療診断のうちの少なくとも１つを含む医療システム応答を含む、請求項２４に記載のシステム。